(57)【要約】      （修正有）【課題】練習時にアッパーブロースイングを体感させてアッパーブロースイングを修得するためのスイング矯正用のゴルフシューズを提供する。【解決手段】シューズ本体の一部を形成する内底１１の底部１１Ａと外底体１４及び外底の表面１４Ａには、植毛状ファスナー１７が施され、使用時にシューズ本体の内底と外底を定着して一体化し、特に左足用シューズの靴底の高さ寸法を自由に変えられるように形成してある。かくして、左右のシューズの靴底の高さ寸法は可変に形成され、例えば、右打ちの場合には、左足用シューズ１の靴底が右足シューズの靴底より高くなるように靴底を選定してセットすることにより（地面より左足下が右足下より高くなる様にするので）アッパースイングを体感できアッパースイングの修得が図れる。【選択図】図２
0003122440.tif 000002
【実用新案登録請求の範囲】
【請求項１】
左右のゴルフシューズの少なくとも一方の靴底を、シューズ本体の一部を形成する内底と外底とに分離可能に形成し、該外底を高さ寸法の異なる複数個の外底体からなる外底群として構成し、シューズ本体の内底と外底とを着脱自在に形成して、外底群から選んだ外底体の一つを内底に定着させて一体化することにより、左右のシューズの靴底の高さ寸法を可変に形成するスイング矯正用のゴルフシューズ。
【請求項２】
前記シューズ本体の一部を形成する内底の底部と外底の表面に植毛状ファスナーを施すことにより、使用時にシューズ本体の内底と外底を定着して一体化させたことを特徴とする請求項１記載のスイング矯正用のゴルフシューズ。
【考案の詳細な説明】
【技術分野】
【０００１】  本考案は、スイング矯正用のゴルフシューズに関するものである。
【背景技術】
【０００２】  ゴルフボールを打球する際に使用するアイアンとドライバーとでは打球時のボールの位置は異なり、通例アイアンではダウンブローに、またドラーバーではアッパーブローにボールを打つことにより好結果が得られることが知られている。【０００３】  従来より、ゴルフシューズ自体の靴底の高さ寸法は通例左右同一の高さ寸法形状に形成され、ドラーバーを使用するティーショット時にボールをより遠くへ飛ばそうとしてアッパーブローのスイングを意識し、例えば、右打ちの場合に右足体重を作ろうとして上体を右に傾けたり、あるいは頭を右にかしげたりすると「すくい打ちのスイング」となり、誤った体づかいをする危険性が高くなる。。
【特許文献】  特開２００１−１８４９８公報
【考案の開示】
【考案が解決しようとする課題】
【０００４】  従って本考案の目的は、練習時にアッパーブロースイングを体感させてアッパーブロースイングを修得するためのスイング矯正用のゴルフシューズを提供することにある。【０００５】  本考案の他の目的は、取り付け操作が極めて簡単なスイング矯正用のゴルフシューズを提供することにある。
【課題を解決するための手段】
【０００６】  本願のゴルフシューズは、左右のゴルフシューズの少なくとも一方の靴底を、シューズ本体の一部を形成する内底と外底とに分離可能に形成し、該外底を高さ寸法の異なる複数個の外底体からなる外底群として構成し、シューズ本体の内底と外底とを着脱自在に形成して、外底群から選んだ外底体の一つを内底に定着させて一体化することにより、左右のシューズの靴底の高さ寸法を可変に形成する。
【考案の効果】
【０００７】  以上のような本考案によれば、アッパーブロースイングを体感させアッパーブロースイングを修得することができる。
また、取り付け操作が極めて簡単なスイング矯正用のゴルフシューズが得られる。
【考案の実施するための最良の形態】
【０００８】  左右のゴルフシューズの少なくとも一方の靴底を、シューズ本体の一部を形成する内底と外底とに分離可能に形成する。外底は高さ寸法の異なる複数個の外底体からなる外底群として構成し、シューズ本体の内底と外底とを着脱自在に形成して、外底群から選んだ外底体の一つを内底に定着させて一体化することにより、左右のシューズの靴底の高さ寸法を可変に形成する。
【０００９】  左右のゴルフシューズは、両方とも内底と外底とに分離可能に形成し、左右のシューズの外底を高さ寸法の異なる複数個の外底体からなる外底群をもって構成してもよい。また、左足用ゴルフシューズの靴底のみ内底と外底とに分離可能に形成し、左足用シューズの外底を高さ寸法の異なる複数個の外底体からなる外底群をもって構成し右打ち用のゴルフシューズとして形成し、あるいは右足用ゴルフシューズの靴底のみ内底と外底とに分離可能に形成し、右足用シューズの外底を高さ寸法の異なる複数個の外底体からなる外底群をもって構成し左打ち用のゴルフシューズとして形成してもよい。
【００１０】  シューズ本体の一部を形成する内底の底部と外底の表面に植毛状ファスナーを施すことにより、使用時にシューズ本体の内底と外底を定着して一体化するとよい。
【実施例】
【００１１】  以下は、左足用ゴルフシューズの靴底の外底の高さ寸法を可変とし右打ち用のゴルフシューズを形成した実施例の説明である。
図１は、本考案に係る左足用シューズを示し、外底の踵部の高さ寸法がＴ１、踏み付け部の高さ寸法がＴ４のシューズの側面図、
図２は、本考案に係る右足用シューズを示し、外底の踵部の高さ寸法がＴ１、踏み付け部の高さ寸法がＴ４のシューズの側面図、
図３は、図１に示す左足用シューズの内底と外底とを分離した状態を示す斜視図、
図４は、左足用シューズの内底に定着する外底を示し、踵部の高さ寸法がＴ１、Ｔ２、Ｔ３（Ｔ１＜Ｔ２＜Ｔ３）、踏み付け部の高さ寸法がＴ４、Ｔ５、Ｔ６（Ｔ４＜Ｔ５＜Ｔ６）の外底体からなる外底群を示す斜視図、
図５は、靴底の内底と外底とを分離した状態を示し、図１に示す左足用シューズの内底と踵部の高さ寸法がＴ２、踏み付け部の高さ寸法がＴ５の外底とを分離した状態を示す斜視図、
図６は、踵部の高さ寸法がＴ２、踏み付け部の高さ寸法がＴ５の外底を内底に定着した左足用シューズの側面図である。【００１２】  これらの図において、左足用シューズ１の靴底３は、シューズ本体１０の一部を形成する内底１１と外底１２とに分離可能に形成される。外底１２は、踵部１３Ａの高さ寸法（Ｔ１，Ｔ２，Ｔ３、但しＴ１＜Ｔ２＜Ｔ３）および踏み付け部１３Ｂの高さ寸法（Ｔ４，Ｔ５，Ｔ６、但しＴ４＜Ｔ５＜Ｔ６）の異なる複数個の外底体１４，１５，１６をもった外底群として構成され、シューズ本体１０の内底１１と外底１２とを着脱自在に形成し、外底群から選んだ外底体１４，１５，１６の一つを内底１１に定着させて一体化する。【００１３】  一方、右足用シューズ２の靴底４も、シューズ本体２０の一部を形成する内底２１と外底２２とに分離可能に形成される。外底２２は、踵部２３Ａの高さ寸法がＴ１、踏み付け部２３Ｂの高さ寸法がＴ４をもって構成され、シューズ本体２０の内底２１と外底２２とは着脱自在に形成され、外底２２を内底２１に定着させて一体化し右足用のシューズを形成する。【００１４】  前記シューズ本体１０，２０の一部を形成する内底１１，２１の底部１１Ａ，２１Ａと外底体１４，１５，１６及び外底２２の表面１４Ａ，１５Ａ，１６Ａ、２４Ａには、植毛状ファスナー１７，１８，１９、２７が施され、使用時にシューズ本体の内底と外底を定着して一体化し、特に左足用シューズの靴底の高さ寸法を自由に変えられるように形成してある。【００１５】  かくして、左右のシューズの靴底３、４の高さ寸法は可変に形成され、例えば、右打ちの場合には、左足用シューズ１の靴底が右足シューズ２の靴底より高く（Ｔ１＜Ｔ２）なるように靴底を選定してセットすることにより（地面より左足下が右足下より高くなるにするので）アッパースイングを体感できアッパースイングの修得が図れる。
【図面の簡単な説明】
【００１６】
【図１】  本考案に係る左足用シューズを示し、外底の踵部の高さ寸法がＴ１、踏み付け部の高さ寸法がＴ４のシューズの側面図である。
【図２】  本考案に係る右足用シューズを示し、外底の踵部の高さ寸法がＴ１、踏み付け部の高さ寸法がＴ４のシューズの側面図である。
【図３】  図１に示す左足用シューズの内底と外底とを分離した状態を示す斜視図である。
【図４】  左足用シューズの内底に定着する外底を示し、踵部の高さ寸法がＴ１、Ｔ２、Ｔ３（Ｔ１＜Ｔ２＜Ｔ３）、踏み付け部の高さ寸法がＴ４、Ｔ５、Ｔ６（Ｔ４＜Ｔ５＜Ｔ６）の外底体からなる外底群を示す斜視図である。
【図５】  靴底の内底と外底とを分離した状態を示し、図１に示す左足用シューズの内底と踵部の高さ寸法がＴ２、踏み付け部の高さ寸法がＴ５の外底とを分離した状態を示す斜視図である。
【図６】  踵部の高さ寸法がＴ２、踏み付け部の高さ寸法がＴ５の外底を内底に定着した左足用シューズの側面図である。
【符号の説明】
【００１７】１      左足用ゴルフシューズ
２      右足用ゴルフシューズ
３      靴底
４      靴底
１０    シューズ本体
１１    内底
１２    外底
１４    外底体
１５    外底体
１６    外底体
１７    植毛状ファスナー
１８    植毛状ファスナー
１９    植毛状ファスナー
２０    シューズ本体
２１    内底
２２    外底
２７    植毛状ファスナー
【図１】
0003122440.tif 000003
【図２】
0003122440.tif 000004
【図３】
0003122440.tif 000005
【図４】
0003122440.tif 000006
【図５】
0003122440.tif 000007
【図６】
0003122440.tif 000008